(57)【特許請求の範囲】
【請求項１】
頭の上部を覆う合成樹脂製の保護殻体の内面に緩衝材を取付けてあるヘルメットであって、
前記保護殻体の前壁部のうち、少なくともマスクに接当する部位の一部を、前壁部の他の部位よりも外方に膨出形成し、その膨出前壁部分の外面を、側面視において保護殻体の下端縁の前側部に対する垂直線に沿う面又はその垂直線に対して上方ほど前方側に位置する前倒れ傾斜面に構成するとともに、前記膨出前壁部分の内面には、装着者の頭皮から離れる状態に窪む凹状の通気通路を形成してあるヘルメット。
【請求項２】
前記保護殻体の外周面の後部に、これよりも軟質の異素材で製作され、かつ、保護殻体に脱着自在に装着されるマスクのベルトに対して前方への滑動に抵抗を付与する滑り止め部材が設けられている請求項１記載のヘルメット。
【発明の詳細な説明】
【０００１】
【発明の属する技術分野】
本発明は、野球、ソフトボール、アイスホッケー等の各種分野において、マスクが脱着自在に装着される頭部保護用のヘルメットで、詳しくは、頭の上部を覆う合成樹脂製の保護殻体の内面に緩衝材が取付けられているヘルメットの改良に関する。
【０００２】
【従来の技術】
ヘルメットの一例であるキャッチャー用ヘルメットにおいて、従来では、頭の上部を覆う合成樹脂製の保護殻体の前壁部と上壁部の前半部分及び左右の側壁部における前半部分とが、頭部に沿うほぼ部分球状の曲面に形成されているとともに、保護殻体の左右側壁部の上方複数箇所には通気孔が貫通形成され、更に、保護殻体の内面のうち、複数の通気孔の形成箇所を除く特定部位に緩衝材が取付けられている（例えば、実開平６−２１６６７号公報参照）。
【０００３】
【発明が解決しようとする課題】
この種のキャッチャー用ヘルメットの使用形態を考察すると、マスクの一例であるキャッチャーマスクに止着されたＴ字状のベルトを、頭部に装着された保護殻体の外周面に掛止めるとともに、キャッチャーマスクの内面側に付設した上部緩衝パット及び下部緩衝パットを、保護殻体の前壁部と装着者の顎とに当て付けて、キャッチャーマスクにボールが当たったときの衝撃力を、保護殻体の前壁部と装着者の顎とで分散して受止めるように構成されている。
【０００４】
しかしながら、保護殻体の前壁部と上壁部の前半部分及び左右の側壁部における前半部分とが、頭部に沿う部分球状の曲面に構成されているため、キャッチャーマスクの上部にボールが当たった場合には、キャッチャーマスクが保護殻体の曲面に沿って上方にずれ動くため、その都度、キャッチャーマスクを引き降ろす必要があり、次の動作が遅れ易い。また、キャッチャーマスクの中心部又は下部側にボールが当たった場合には、キャッチャーマスクが保護殻体の曲面に沿って下方にずれ動くため、衝撃力が装着者の顎に集中し易い不都合がある。
【０００５】
更に、キャッチャーマスクの通気孔の内周縁と装着者の頭皮との間には、緩衝材の厚みに相当する空隙が形成されているが、保護殻体の装着時には、緩衝材が幾分圧縮されるため、空隙の実質的高さが短くなり、その結果、通気性能が低下するばかりでなく、バットが当たって通気孔周縁に割れが発生した際、その割れ口が装着者の頭皮に近づく不都合がある。
【０００６】
本発明は、上述の実状に鑑みて為されたものであって、その主たる課題は、保護殻体の前壁部の合理的な改造をもって、マスクのずれ動きを抑制することができるとともに、ボール等の他物が当たったときの衝撃力を分散して受止めることができ、しかも、通気性能の改善も図ることのできるヘルメットを提供する点にある。
【０００７】
【課題を解決するための手段】
本発明の請求項１による特徴構成は、頭の上部を覆う合成樹脂製の保護殻体の内面に緩衝材を取付けてあるヘルメットであって、
前記保護殻体の前壁部のうち、少なくともマスクに接当する部位の一部を、前壁部の他の部位よりも外方に膨出形成し、その膨出前壁部分の外面を、側面視において保護殻体の下端縁の前側部に対する垂直線に沿う面又はその垂直線に対して上方ほど前方側に位置する前倒れ傾斜面に構成するとともに、前記膨出前壁部分の内面には、装着者の頭皮から離れる状態に窪む凹状の通気通路を形成した点にある。
【０００８】
上記特徴構成によれば、例えば、マスクの内面側に付設した上部緩衝パット及び下部緩衝パットを、保護殻体の前壁部と装着者の顎とに当て付けたとき、その膨出前壁部分の外面が、側面視において保護殻体の下端縁の前側部に対する垂直線に沿う面又はその垂直線に対して上方ほど前方側に位置する前倒れ傾斜面に構成されているので、マスクの何れの位置にボール等の他物が当たっても、マスクのずれ動きを抑制することができるから、マスクのずれ動きに起因する視界の阻害を防止することができるとともに、ずれ動いたマスク位置を修正するための動作を回避することができる。
【０００９】
しかも、前記保護殻体の膨出前壁部分の内面には、装着者の頭皮から離れる状態に窪む凹状の通気通路が形成されているので、保護殻体内の前部側での通気性を高めることができる。
【００１０】
従って、保護殻体の前壁部の少なくともマスクに接当する部位の一部を外方に膨出形成して、その膨出前壁部分の外面を、側面視において保護殻体の下端縁の前側部に対する垂直線に沿う面又はその垂直線に対して上方ほど前方側に位置する前倒れ傾斜面に構成するだけの簡単かつ経済的な改造をもって、ボール等の他物が当たった時のマスクのずれ動きを抑制して、次の動作に迅速に移行することができるとともに、他物が当たったときの衝撃力を、保護殻体の前壁部と装着者の顎とに分散して確実、良好に受止めることができ、しかも、そのための構成を利用して保護殻体内の前部側での通気性能の改善も同時に図ることができる。
【００１１】
本発明の請求項２によるヘルメットの特徴構成は、前記保護殻体の外周面の後部に、これよりも軟質の異素材で製作され、かつ、保護殻体に脱着自在に装着されるマスクのベルトに対して前方への滑動に抵抗を付与する滑り止め部材が設けられている点にある。
【００１２】
上記特徴構成によれば、例えば、保護殻体全体がポリカーボネイト、ＡＥＳ樹脂、ＡＢＳ樹脂などの硬質合成樹脂で一体成形され、かつ、その外周面も滑らかな面に形成されている場合でも、保護殻体の外周面の後部には、これよりも軟質の異素材で製作された滑り止め部材が設けられているから、滑り止め部材と保護殻体に装着されたキャッチャーマスク等の顔面側保護具のベルトとの間の摩擦抵抗が、保護殻体の外周面とベルトとの間における摩擦抵抗よりも大きくなり、ベルトに対して前方への滑動に抵抗を付与することができる。
【００１３】
また、前記保護殻体の上壁部のうち、膨出前壁部分に連なる部位の少なくとも前端側が上方に膨出形成されているとともに、その膨出上壁部分に内外方向に貫通する通気孔が形成されていてもよい。
【００１４】
上記構成によれば、前記保護殻体の内面のうち、膨出前壁部分及び膨出上壁部分に相当する部位が装着者の頭皮から離れる状態に窪むことになり、それに連れて形成される凹状空隙を通気通路として活用することができ、しかも、膨出上壁部分には、通気通路となる凹状空隙に連通する状態で内外方向に貫通する通気孔が形成されているため、通気性能を改善することができると同時に、バット等の他物が当たって通気孔周縁に割れが発生した場合でも、その割れ口と装着者の頭皮との間に大きな空隙を確保することができる。
【００１５】
また、前記膨出上壁部分が、保護殻体の上壁部のほぼ全長に亘って帯状用に膨出形成されているとともに、この膨出上壁部分の前後複数箇所に通気孔が形成されていてもよい。
【００１６】
上記構成によれば、前記保護殻体の内面のうち、膨出上壁部分に相当する部位が装着者の頭皮から離れる状態に帯状に窪むことになり、それに連れて形成される帯状の凹状空隙を通気通路として活用することができ、しかも、膨出上壁部分には、通気通路となる凹状空隙の前後複数箇所に連通する状態で複数の通気孔が形成されているため、通気性能を大幅に改善することができる。
【００１７】
また、前記通気孔が指掛け可能な大きさに構成されていてもよい。
【００１８】
上記構成によれば、前記通気孔の通気面積の拡大によって通気性能を一層改善することができるばかりでなく、そのための通気孔を、ヘルメットを取扱うための指掛け孔として便利に活用することができる。
【００１９】
更に、前記膨出上壁部分の左右両側脇に位置する側壁部に、前後方向にほぼ沿う補強リブが突出形成されていてもよい。
【００２０】
上記構成によれば、保護殻体の左右側壁部に突出形成された補強リブによって、ヘルメットの剛性を高めることができるばかりでなく、左右の補強リブを、ヘルメットの装着姿勢を修正するときの指掛け部に兼用することができる。
【００２１】
【発明の実施の形態】
〔第１実施形態〕
図１〜図１１は、野球、ソフトボール、アイスホッケー等の各種分野に用いられるヘルメットの一例で、頭の上部及び後部を覆う合成樹脂製の保護殻体Ａの内面に、該保護殻体Ａの外周面に空振りしたバットが当たったとき、或いは、保護殻体Ａに脱着自在に装着されるマスクの一例であるキャッチャーマスクＢにボールが当たったときの衝撃を吸収緩和する緩衝材Ｃが取付けられているキャッチャー用ヘルメットを示す。
【００２２】
前記保護殻体Ａは、ポリカーボネイト樹脂、ＡＢＳ樹脂、ＡＥＳ樹脂等の耐衝撃性に優れた熱可塑性樹脂で半球殻状に成形されているとともに、前記緩衝材Ｃは、ポリウレタン樹脂、ポリエチレン樹脂、ポリプロピレン樹脂等から形成される柔らかくクッション製に優れた発泡性合成樹脂製芯材を天然皮革又は合成皮革等の表皮材で被覆して構成されている。
【００２３】
そして、図１〜図７に示すように、前記保護殻体Ａの前壁部１のうち、少なくともキャッチャーマスクＢの上部緩衝パット１０に接当する部位の一部１Ａを、それの前面が鉛直面又は急傾斜面となるように前壁部１の他の部位（他の前壁部分）１Ｂよりも外方に膨出形成し、保護殻体Ａの上壁部２には、前壁部１の膨出前壁部分１Ａと同じ左右幅で帯状に連続し、かつ、上壁部２の前端から後端近くまでのほぼ全域に亘る状態で、上壁部２の他の部位（他の上壁部分）２Ｂよりも外方（上方）に膨出形成するとともに、前記膨出上壁部分２Ａの前後方向四箇所には、内外方向に貫通する通気孔５Ａ〜５Ｄが形成されている。
【００２４】
更に、前記保護殻体Ａの外周面の後部、つまり、後壁部３の上部寄り位置には、これよりも軟質の異素材で製作され、かつ、保護殻体Ａに装着されたキャッチャーマスクＢのＴ字状のベルト１２に対して前方への滑動に抵抗を付与する滑り止め部材６が設けられているとともに、前記膨出上壁部分２Ａの左右両側脇に位置する両側壁部４の上部位置には、前後方向にほぼ沿う二条の補強リブ７が一体的に突出形成されている。
【００２５】
前壁部１の膨出前壁部分１Ａの左右幅Ｗ１、及び、上壁部２の膨出上壁部分２Ａの左右幅Ｗ２は、図２、図４に示すように、保護殻体Ａの左右中央部において４０ｍｍ〜８０ｍｍの範囲に構成され、当該第１実施形態では、膨出前壁部分１Ａの左右幅Ｗ１及び膨出上壁部分２Ａの左右幅Ｗ２が７５ｍｍの幅に統一形成されているとともに、前記前壁部１の膨出前壁部分１Ａの上端部と上壁部２の膨出上壁部分２Ａの前端部とは、鈍角な交差角度で滑らか湾曲しながら連続形成されている。
【００２６】
また、図１に示すように、前記保護殻体Ａの下端縁ａの前側部と膨出前壁部分１Ａの外面（前面）との成す側面視での交差角度θは、好ましくは１００度〜９０度の範囲に設定されている。換言すれば、膨出前壁部分１Ａの外面（前面）は、図１に示すように、側面視において保護殻体Ａの下端縁ａの前側部に対する垂直線に沿う面又はその垂直線に対して上方ほど前方に位置する前倒れ傾斜面に構成されている。
当該実施形態では、交差角度θが９５度となる前倒れ傾斜面に構成されている。
【００２７】
前記通気孔５Ａ〜５Ｄは、図４、図５に示すように、４つの領域に分散形成されていて、最前列に位置する第１通気孔５Ａ、前から３列目に位置する第３通気孔５Ｃ、最後列の第４通気孔５Ｄの各々は、前後方向に沿う二枚の仕切り板部５ａで区画形成された三つの分割通気孔５ｂから構成されているとともに、前から２列目に位置する第２通気孔５Ｂは円形状に形成されている。
【００２８】
また、前記各分割通気孔５ｂは指掛け可能な大きさに構成されているとともに、前記膨出上壁部分２Ａの外側面のうち、各分割通気孔５ｂの後側縁に位置する外側面部分２ａは、前方ほど内方に位置するテーパー面２ａに形成されている。
【００２９】
前記補強リブ７は、指掛け可能な突出代に設定されていて、ヘルメットの装着姿勢を修正するときの指掛け部に兼用使用可能に構成されている。
【００３０】
そして、図１２に示すように、キャッチャーマスクＢの内面側に付設した上部緩衝パット１０及び下部緩衝パット１１を、保護殻体Ａの前壁部１と装着者の顎とに当て付けたとき、前壁部１の膨出前壁部分１Ａの前面が鉛直面又は急傾斜面に形成されているため、キャッチャーマスクＢの何れの位置にボールが当たっても、キャッチャーマスクＢのずれ動きを抑制することができ、キャッチャーマスクＢにボール等が当たったときの衝撃力を、保護殻体Ａの膨出前壁部分１Ａと装着者の顎とで良好に分散して受止めることができるとともに、次の動作に迅速に移行することができる。
【００３１】
しかも、図５、図６に示すように、前記膨出前壁部分１Ａ及び膨出上壁部分２Ａの外方への膨出形成によって、その膨出箇所の内面が装着者の頭皮から離れる状態に窪むことになり、それに連れて形成される凹状空隙Ｓ１，Ｓ２を通気通路として活用することができる。
【００３２】
前記滑り止め部材６は、図８〜図１１に示すように、保護殻体Ａよりも軟質で摩擦係数の大きな異素材の一例であるエラストマーを用いて、背面視において水平方向に細長い下向き三角形の輪郭形状に成形されていて、それの外側面の左右両側部には、保護殻体Ａに装着されたキャッチャーマスクＢのＴ字状ベルト１２のうち、保護殻体Ａの周方向に沿って掛止められる水平ベルト部１２Ａの上側縁１２ａで、かつ、保護殻体Ａの前後方向中心線に沿って掛止められる縦ベルト部１２Ｂの左右両外側脇に位置する一部に係合して、該水平ベルト部１２Ａの前方への滑動を阻止する係止突起８が水平方向に沿って一体的に突出形成れている。
【００３３】
また、図９、図１１に示すように、前記滑り止め部材６の外側面のうち、Ｔ字状ベルト１２の水平ベルト部１２Ａと縦ベルト部１２Ｂとの縫合連結部１２Ｃが接触する左右中央のベルト接触面の一部には、左右方向に沿う複数本の細溝９ａを上下方向に所定ピッチで形成して、保護殻体Ａの外周面よりも摩擦抵抗の大きな粗面部９が構成されている。
【００３４】
前記保護殻体Ａの後壁部３には、図７、図８に示すように、滑り止め部材６が後方から嵌入自在で、その嵌入状態では後壁部３の外面に沿った方向への相対移動を阻止する位置決め用凹部１５が、滑り止め部材６の板厚寸法よりも小さな深さで形成されているとともに、この位置決め用凹部１５内の左右両側部には、Ｔ字状ベルト１２の水平ベルト部１２Ａの上側縁１２ａで、かつ、縦ベルト部１２Ｂの左右両外側脇に位置する一部が入り込んで、該Ｔ字状ベルト１２の前方上方への滑動に抵抗を付与することが可能な第１貫通孔１６が形成されている。
【００３５】
また、図８に示すように、前記位置決め用凹部１５内の左右中央部の下方位置には、前後方向（内外方向）で貫通する三角形状の第２貫通孔１７が形成されているとともに、その第２貫通孔１７の上方位置で、かつ、ベルト１２の水平ベルト部１２Ａと縦ベルト部１２Ｂとの縫合連結部１２Ｃが接触するベルト接触面の一部には、左右方向に沿う複数本のスリット１８ａを上下方向に所定ピッチで形成して、保護殻体Ａの外周面よりも摩擦抵抗の大きな粗面部１８が構成されている。
【００３６】
前記滑り止め部材６の裏面には、図８、図１０、図１１に示すように、左右両側に位置する第１貫通孔１６の周縁に対してそれぞれ後方外方から無理嵌め状態で嵌合可能な環状係止爪１９ａを備えた筒状の第１係合部１９と、左右中央に位置する第２貫通孔１７の周縁に対して後方外方から無理嵌め状態で嵌合可能な環状係止爪２０ａを備えた筒状の第２係合部２０とが一体形成されている。
【００３７】
そして、前記保護殻体Ａをポリカーボネイト、ＡＥＳ樹脂、ＡＢＳ樹脂などの硬質合成樹脂で一体成形し、かつ、その外周面も滑らかな面に形成して、ボールやバットから頭部を保護するに必要な十分な強度を確保しながらも、保護殻体Ａの後壁部３には、該後壁部３の外面よりも摩擦係数の大きな軟質のエラストマー（合成ゴム又は常温でゴム状弾性を持つ合成プラスチック）製の滑り止め部材６が設けられているから、この滑り止め部材６とＴ字状ベルト１２の水平ベルト部１２Ａ及び縦ベルト部１２Ｂとの間での摩擦抵抗が大きくなり、しかも、滑り止め部材６の左右両側部に設けられた係止突起８とＴ字状ベルト１２の水平ベルト部１２Ａの上側縁１２ａとによる係合と、滑り止め部材６の外側面の左右中央のベルト接触面に形成された摩擦抵抗の大きな粗面部９とＴ字状ベルト１２の縫合連結部１２Ｃとの間での大きな摩擦抵抗とが加わるため、保護殻体Ａに装着されたキャッチャーマスクＢのＴ字状ベルト１２に対して前方への滑動に大きな抵抗を付与することができ、Ｔ字状ベルト１２の前方側へのずれ移動をより効果的に抑制することができる。
【００３８】
更に、前記滑り止め部材６の両第１係合部１９及び第１係合部２０を、保護殻体Ａの後壁部３の位置決め用凹部１５内に形成された両第１貫通孔１６及び第２貫通孔１７に対して後方外方から無理嵌め状態で嵌合操作するだけであるから、滑り止め部材６の取付け作業を能率良く行なうことができ、しかも、滑り止め部材６の取付け相当箇所である位置決め用凹部１５内に形成された両第１貫通孔１６は、滑り止め部材６が取付けられていない状態で使用しても、保護殻体Ａに装着されたキャッチャーマスクＢのＴ字状ベルト１２の一部が入り込んで、該Ｔ字状ベルト１２の前方への滑動に抵抗を付与することができる。
【００３９】
従って、一つの保護殻体Ａを用いて、滑り止め部材６を使用する高級品仕様と滑り止め部材６を使用しない普及品仕様とに使い分けることができるばかりでなく、滑り止め部材６を嵌合方式で簡便に取付けるために保護殻体Ａ側に形成される第１貫通孔１６を上述の如く工夫することにより、普及品仕様においても、キャッチャーマスクＢのＴ字状ベルト１２の前方側へのずれ移動を抑制することができる。
【００４０】
〔第２実施形態〕
上述の第１実施形態では、滑り止め部材６の係止突起８の外側面を滑らかな曲面に形成したが、図１３に示すように、この係止突起８のベルト接触面の一部に、保護殻体Ａの後壁部３の位置決め用凹部１５内に形成された両第１貫通孔１６に連通する状態で通気用のスリット２１を形成して実施してもよい。
【００４１】
上記特徴構成によれば、保護殻体Ａに装着されたキャッチャーマスクＢのベルト１２の一部が、滑り止め部材６の通気用スリット２１に入り込んだり、引っ掛ったりするから、ベルト１２の前方へのずれ防止効果を高めることができる。
【００４２】
当該実施形態では、係止突起８に通気用スリット２１を形成したが、係止突起８の形成箇所以外の滑り止め部材６の外面で、かつ、ベルト１２と接触する接触面の一部に、保護殻体Ａの後壁部３の位置決め用凹部１５内に形成された両第１貫通孔１６又は第２貫通孔１７に連通する状態で一つ又は複数の通気用スリット２１或いは一つ又は複数の通気用孔を形成してもよい。
尚、その他の構成は、第１実施形態で説明した構成と同一であるから、同一の構成箇所には、第１実施形態と同一の番号を付記してそれの説明は省略する。
【００４３】
〔その他の実施形態〕
（１）上述の各実施形態では、前記膨出上壁部分２Ａを、保護殻体Ａの上壁部１のほぼ全長に亘って帯状用に膨出形成したが、保護殻体Ａの上壁部２のうち、膨出前壁部分１Ａに連なる前端側部分のみを、又は、前後中央位置までの部位を上方に膨出形成して実施してもよい。
【００４４】
（２）上述の第１実施形態では、前記滑り止め部材６のベルト接触面の一部に複数の細溝９ａを形成して、保護殻体Ａの外周面よりも摩擦抵抗の大きな粗面部９を構成したが、滑り止め部材６のベルト接触面の少なくとも一部に小さな突起群を形成するか、若しくは、ローレット加工のような模様を刻設して、保護殻体Ａの外周面よりも摩擦抵抗の大きな粗面部９を構成してもよい。
【００４５】
（３）保護殻体Ａに装着されたキャッチャーマスクＢのＴ字状のベルト１２に対して前方への滑動に抵抗を付与する滑り止め部材６を、耐摩耗性及び可撓性を有する熱可塑性エラストマーベースのポリウレタン樹脂、又は、高分子発泡体の一例であるエチレンビニルアセテート共重合体（ＥＶＡ）で製作してもよい。
【００４６】
（４）上述の各実施形態では、前記滑り止め部材６の裏面に、左右一対の第１係合部１９と第２係合部２０とを設けて、保護殻体Ａ側の第１貫通孔１６及び第２貫通孔１７に対して無理嵌め状態で嵌合するよう構成したが、第２係合部２０及び第２貫通孔１７を省略して実施してもよい。
【００４７】
（５）上述の各実施形態では、左右一対の第１係合部１９及び第２係合部２０に、第１貫通孔１６及び第２貫通孔１７の周縁に対してそれぞれ後方外方から無理嵌め状態で嵌合可能な環状係止爪１９ａ及び２０ａを形成したが、第１係合部１９及び第２係合部２０の周方向の複数箇所に、第１貫通孔１６及び第２貫通孔１７の周縁に係合する係止爪を設けて実施してもよい。
【００４８】
（６）上述の各実施形態では、前記滑り止め部材６を、保護殻体Ａの後壁部３に形成された位置決め用凹部１５を通して両第１貫通孔１６及び第２貫通孔１７に嵌合固定するように構成したが、位置決め用凹部１５及び貫通孔１６，１７が形成されていない保護殻体Ａの後壁部３の外面に、滑り止め部材６を接着剤や溶着等の他の固定手段で直接取付けてもよい。
【００４９】
（７）上述の各実施形態では、ヘルメットとしてキャッチャー用ヘルメット（野球用ヘルメット）を例に挙げて説明したが、本願発明の技術は、アイスホッケーなどの他の分野で用いられるヘルメットにも適用することができる。
【図面の簡単な説明】
【図１】本願発明のヘルメットの第１実施形態を示す全体の側面図
【図２】全体の正面図
【図３】全体の背面図
【図４】全体の平面図
【図５】図４のＶ−Ｖ線断面図
【図６】図４のＶＩ−ＶＩ線断面図
【図７】滑り止め部材を嵌合する前の全体斜視図
【図８】滑り止め部材を嵌合する前の要部の拡大斜視図
【図９】滑り止め部材の取付け箇所の拡大背面図
【図１０】図９のＸ−Ｘ線拡大断面図
【図１１】図９のＸＩ−ＸＩ線拡大断面図
【図１２】使用状態を示す側面図
【図１３】本発明の第２実施形態を示す要部の拡大断面図
【符号の説明】
Ａ        保護殻体
Ｃ        緩衝材
１        前壁部
１Ａ      膨出前壁部分
１Ｂ      他の部位（他の前壁部分）
２        上壁部
２Ａ      膨出上壁部分
５Ａ      第１通気孔
５Ｂ      第２通気孔
５Ｃ      第３通気孔
５Ｄ      第４通気孔
７        補強リブ
【図１】
0003630653.tif 000002
【図２】
0003630653.tif 000003
【図３】
0003630653.tif 000004
【図４】
0003630653.tif 000005
【図５】
0003630653.tif 000006
【図６】
0003630653.tif 000007
【図７】
0003630653.tif 000008
【図８】
0003630653.tif 000009
【図９】
0003630653.tif 000010
【図１０】
0003630653.tif 000011
【図１１】
0003630653.tif 000012
【図１２】
0003630653.tif 000013
【図１３】
0003630653.tif 000014